(57)【要約】【課題】構造簡単な背凭れ部の提供を可能とすること。【解決手段】ヘッドボードの前面に着脱機構を介して着脱自在に連結されたプレートと、前記プレートの前面に位置する背凭れ部と、前記プレートの前面と前記背凭れ部との間に介装されて、前記背凭れ部を前記ヘッドボードに対して傾動せしめるようにした傾動機構とを備えた、ベッド。【選択図】　図４
2004073228.tif 000002
【特許請求の範囲】
【請求項１】
ヘッドボードの前面に着脱機構を介して着脱自在に連結されたプレートと、前記プレートの前面に位置する背凭れ部と、前記プレートの前面と前記背凭れ部との間に介装されて、前記背凭れ部を前記ヘッドボードに対して傾動せしめるようにした傾動機構とを備えた、ベッド。
【請求項２】
前記着脱機構は、前記ヘッドボードの厚みに対して可変である、請求項１に記載のベッド。
【請求項３】
前記傾動機構は、前記ヘッドボードの前面と前記背凭れ部との間に介設された一対のリンク機構と、前記一対のリンク機構から立設する一対のステーと、前記ステーの先端部に固定されたヘッドレストとからなり、前記ヘッドレストを垂直方向に移動させたとき、前記ステーが前記リンク機構をして前記背凭れ部を前記ヘッドボードに対して傾動せしめるようにした、請求項１記載のベッド。
【請求項４】
前記ヘッドレストは、電動機構により、垂直方向に移動されるようにしてなる、請求項３に記載のベッド。
【請求項５】
前記傾動機構は、ラチェット機構付ヒンジ部材である、請求項１に記載のベッド。
【請求項６】
前記着脱機構は、前記ヘッドボードの高さ方向に沿って移動可能である、請求項１に記載のベッド。
【発明の詳細な説明】
【０００１】
【発明の属する技術分野】
本発明は、ベッドに関し、特にベッドのヘッドボードに対して傾動可能な背凭れ部に関する。
【０００２】
【従来の技術】
従来の此の形式のベッドは、例えば、特開２００１−３５３０４３号公報に開示されている。しかして、このベッドにおいては、背凭れ部がヘッドボードの内部に略面一となるように埋め込まれており、デザイン的には優れたものである。
【０００３】
【発明が解決しようとする課題】
しかしながら、背凭れ部は、関連機構と共にヘッドボードに埋め込まれているので、背凭れ部、関連機構及びヘッドボードは、専用構造となり、汎用性に欠け、高コストとなる。
【０００４】
それ故に、本発明は、かような不具合のないベッドを提供することを技術的課題とする。
【０００５】
【課題を解決するための手段】
上記した課題を解決するために講じた手段は、請求項１記載のように、「ヘッドボードの前面に着脱機構を介して着脱自在に連結されたプレートと、前記プレートの前面に位置する背凭れ部と、前記プレートの前面と前記背凭れ部との間に介装されて、前記背凭れ部を前記ヘッドボードに対して傾動せしめるようにした傾動機構とを備えた、ベッド。」
を構成したことである。
【０００６】
【発明の実施の形態】
以下、本発明にかかるベッドの実施の形態を、具体的に説明する。
【０００７】
図１〜図４において、ベッド１０は、マットレス２０が載置されるフレーム３０を備える。フレーム３０の一端部には、ヘッドボード３２が固定されており、その先端部はマットレス２０の表面に対して、所定の高さを有している。
【０００８】
ヘッドボード３２の前面には、着脱機構８０を介して、プレート７８が着脱自在に連結されている。このプレート７８の前面には、背凭れ部３４が配置されている。しかして、背凭れ部３４とプレート７８の前面との間には、傾動機構９０が介装されており、この傾動機構９０の作用により、後述するように、背凭れ部３４がヘッドボード３２に対して傾動するようになっており、傾いた背凭れ部３４に使用者がリクライニング態様で体を休めるようになっている。
【０００９】
着脱機構８０は、図３および図４に詳細に示されるように、プレート７８の後面に一対のネジ８２で固定され且つ水平方向に延在する横部材８４を備える。この横部材８４から一対のアーム８６が垂下しており、アーム８４とプレート７８の後面との間にヘッドボード３２が挟着されるようになっている。かような構成により、背凭れ部３４およびプレート７８は、ヘッドボード３２に対して、着脱自在となっている。尚、ネジ８２が螺着されるべくプレート７８の後面に形成されたネジ孔８４は上下方向に複数設けられているので、ヘッドボード３２の高さに応じて、プレート７８ひいては背凭れ部３４のマットレス２０に対する相対位置を調整できるようになっている。
【００１０】
傾動機構９０は、ヘッドボード３２の前面つまりフット側の面に並設された一対のリンク機構４０を備える。プレート７８の前面に突設されたブラケット４２には、ピン４４により、下アーム４６の下端部が枢支されている。下アーム４６の上端部には、ローラ４８が回転可能に装架されており、このローラ４８は、常時、背凭れ部３４の背面と当接している。
【００１１】
背凭れ部３４の背面内部の端部には、ピン５０により、ブラケット５２及び上アーム５４の上端部が枢支されている。しかして、上アーム５４の下端部は、ピン５６により、下アーム４６の上端部近傍に枢支されている。下アーム４６、上アーム５４及びブラケット５２がリンク機構４０を構成する。
【００１２】
リンク機構４０・４０のブラケット５２・５２には一対のステー６０・６０が立設されており、この一対のステー６０・６０の先端部は、ヘッドレスト７０を支持・固定する。ヘッドレスト７０からは、一対のステー６０・６０間において、一対のガイドバー６２・６２が延出し、ヘッドボード３２の前面に固定されたボックス６６内において、スライダー６８に固定される。
【００１３】
スライーダ６８の下部は、ヘッドボード３２の前面に固定された電動モータ７２により上下動されるスクリュー軸７４に連結されている。しかして、電動モータ７２の一方向（他方向）への駆動によるスクリュー軸７４の上（下）動に従い、スライーダ６８がボックス６６内を上（下）動し、このスライーダ６８の上（下）動により、ガイドバー６２及びステー６０が上（下）動することになる。
【００１４】
図１及び図２に示す状態においては、ヘッドボード３２と背凭れ部３４とは、略垂直方向に平行しているが、電動モータ７２の他方向への駆動によりスクリュー軸７４が下動すると、スライーダ６８がボックス６６内を下動し、ステー６０を下動させる。このステー６０を下動により、リンク機構４０の上アーム５４がヘッドボード３２から前向にせり出して、つまり上アーム５４と下アーム４６とがなす角度が漸次小さくなる態様で上アーム５４と下アーム４６とが背凭れ部３４に対して回動し、結果、図５及び図６に示すように、背凭れ部３４が、その下端部がヘッドボード３２から所定距離だけ飛び出した態様で、ヘッドボード３２に対して傾き、使用者が安息体勢をとることが出来るようになる。
【００１５】
尚、上記した実施形態に代えて、以下のような変形例を採用することが可能である。
【００１６】
（１）ヘッドボード３２の上下動は、上記した電動に代えて手動でも可能であるが、この場合、ガイドバー６２を所望の位置に保持する手段を、ガイドバー６２とボックス６６との間に設ける必要がある。
【００１７】
（２）ヘドボード３２の厚みの変化に対応するために、図７に示すように、プレート７８の後面に固定された横木８４とアーム８６とを、テレスコ態様で、連結固定しても良い。すなわち、横木８４と一体のブロック体９０上にアーム８６と一体のスライーダ９２を軸方向移動可能に装架し、ヘドボード３２の厚み応じてスライーダ９２をブロック体９０に対して移動すれば、図８及び図９に示すように、ヘドボード３２の厚・薄に対応した、プレート７８及び背凭れ部３４の、ヘドボード３２への装着が可能となる。
【００１８】
（３）図１０に示すように、背凭れ部３４の上部とプレート７８の前面の上部とをラチェット機構付ヒンジ部材９４で連結し、背凭れ部３４の傾度を調整し、当該位置を保持するようにしても良い。
【００１９】
【発明の効果】
本発明によれば、ヘッドボードに装着するだけで、ヘッドボードに対する相対傾動調整可能な背凭れ部を提供でき、実用上、多大な効果を奏する。
【図面の簡単な説明】
【図１】本発明に係るベッドの外観斜視図。
【図２】図１に示すベッドにおけるヘッドボードと背凭れ部との連結関係を示す透視斜視図。
【図３】図１に示すベッドにおける着脱機構の使用例を示す図。
【図４】図３に示す着脱機構の背面図。
【図５】図１に示すベッドにおいて背凭れ部を傾動させたときの斜視図。
【図６】図３に示すベッドにおけるヘッドボードと背凭れ部との連結関係を示す透視斜視図。
【図７】図３に示す着脱機構の変形例を示す図。
【図８】図７に示す着脱機構の変形例を、板厚のヘッドボードに装着した時の状態を示す図。
【図９】図８に示す着脱機構の変形例を、板薄のヘッドボードに装着した時の状態を示す図。
【図１０】傾動機構としてラチェット付ヒンジ部材を採用したときの、作動状態例を示す図。
【符号の説明】
３２　ヘッドボード
３４　背凭れ部
４０　リンク機構
７０　ヘッドレスト
７２　電動モータ
【図１】
2004073228.tif 000003
【図２】
2004073228.tif 000004
【図３】
2004073228.tif 000005
【図４】
2004073228.tif 000006
【図５】
2004073228.tif 000007
【図６】
2004073228.tif 000008
【図７】
2004073228.tif 000009
【図８】
2004073228.tif 000010
【図９】
2004073228.tif 000011
【図１０】
2004073228.tif 000012